(57)【要約】【課題】  動圧軸受装置における部品の発錆を防止すると同時に、防錆処理後の脱脂処理を不要にして工数削減を図る。【解決手段】  ハウジング７の、内周面７ｃ、固定面７ｄ、及び固定面７ｅを除く表面には、フッ素系樹脂からなるコーティング被膜ｆ１が形成されている。コーティング被膜ｆ１の膜厚は、０．１〜１μｍである。コーティング被膜ｆ１は、ハウジング７の防錆を目的として形成されたものであり、部品の段階では、ハウジング７の全表面に形成されるが、組立に際して、内周面７ｃ、固定面７ｄ、及び固定面７ｅのコーティング被膜ｆ３は剥離される。【選択図】  図２
2005273815.tif 000002
【特許請求の範囲】
【請求項１】
ハウジングと、該ハウジングの内部に固定された軸受スリーブと、前記ハウジング及び前記軸受スリーブに対して相対回転する軸部材と、前記軸受スリーブと前記軸部材との間のラジアル軸受隙間に生じる潤滑油の動圧作用で前記軸部材をラジアル方向に非接触支持するラジアル軸受部とを備えた動圧軸受装置において、
前記ハウジングは金属材料で形成されていると共に、その表面にフッ素系樹脂からなるコーティング被膜を有することを特徴とする動圧軸受装置。
【請求項２】
ハウジングと、該ハウジングの内部に固定された軸受スリーブと、前記ハウジング及び前記軸受スリーブに対して相対回転する軸部材と、前記ハウジングの一端部に固定されたスラスト部材と、前記軸受スリーブと前記軸部材との間のラジアル軸受隙間に生じる潤滑油の動圧作用で前記軸部材をラジアル方向に非接触支持するラジアル軸受部と、前記スラスト部材と前記軸部材との間のスラスト軸受隙間に生じる潤滑油の動圧作用で前記軸部材をスラスト方向に非接触支持するスラスト軸受部とを備えた動圧軸受装置において、
前記スラスト部材は金属材料で形成されていると共に、その表面にフッ素系樹脂からなるコーティング被膜を有することを特徴とする動圧軸受装置。
【請求項３】
前記スラスト軸受部を構成する前記スラスト部材の表面に動圧溝が形成されており、該表面に前記コーティング被膜が形成されていることを特徴とする請求項２に記載の動圧軸受装置。
【請求項４】
ハウジングと、該ハウジングの内部に固定された軸受スリーブと、前記ハウジング及び前記軸受スリーブに対して相対回転する軸部材と、前記ハウジングの他端部に固定されたシール部材と、前記軸受スリーブと前記軸部材との間のラジアル軸受隙間に生じる潤滑油の動圧作用で前記軸部材をラジアル方向に非接触支持するラジアル軸受部とを備えた動圧軸受装置において、
前記シール部材は金属材料で形成されていると共に、その表面にフッ素系樹脂からなるコーティング被膜を有することを特徴とする動圧軸受装置。
【請求項５】
前記コーティング被膜の膜厚が０．１〜１μｍであることを特徴とする請求項１から４の何れかに記載の動圧軸受装置。
【発明の詳細な説明】
【技術分野】
【０００１】
本発明は、軸受隙間に生じる潤滑油の動圧作用で軸部材を回転自在に非接触支持する動圧軸受装置に関する。この軸受装置は、情報機器、例えばＨＤＤ、ＦＤＤ等の磁気ディスク装置、ＣＤ−ＲＯＭ、ＣＤ−Ｒ／ＲＷ、ＤＶＤ−ＲＯＭ／ＲＡＭ等の光ディスク装置、ＭＤ、ＭＯ等の光磁気ディスク装置などのスピンドルモータ、レーザビームプリンタ（ＬＢＰ）のポリゴンスキャナモータ、あるいは電気機器、例えば軸流ファンなどの小型モータ用として好適である。
【背景技術】
【０００２】
上記各種モータには、高回転精度の他、高速化、低コスト化、低騒音化などが求められている。これらの要求性能を決定づける構成要素の一つに当該モータのスピンドルを支持する軸受があり、近年では、この種の軸受として、上記要求性能に優れた特性を有する動圧軸受の使用が検討され、あるいは実際に使用されている。
【０００３】
例えば、ＨＤＤ等のディスク駆動装置のスピンドルモータに組込まれる動圧軸受装置では、軸部材をラジアル方向に非接触支持するラジアル軸受部と、軸部材をスラスト方向に非接触支持するスラスト軸受部とが設けられ、ラジアル軸受部として、軸受スリーブの内周面又は軸部材の外周面に動圧発生用の溝（動圧溝）を設けた動圧軸受が用いられる。スラスト軸受部としては、例えば、軸部材のフランジ部の両端面、又は、これに対向する面（軸受スリーブの端面や、ハウジングに固定されるスラスト部材の端面等）に動圧溝を設けた動圧軸受が用いられる（例えば、特許文献１〜３参照）。特許文献１の図１に示されている構成では、スラスト軸受部の動圧溝は、ハウジングの一端部に一体形成された底部の内底面に設けられ、特許文献２の図２や特許文献３の図２に示されている構成では、スラスト軸受部の動圧溝は、ハウジングの一端部に固定されたスラスト部材の端面に設けられている。また、特許文献３の図４に示されている構成では、スラスト軸受部は、軸部材の一端面をスラストプレートによって接触支持する構造（いわゆるピボット軸受）になっている。
【０００４】
通常、軸受スリーブはハウジングの内周の所定位置に固定され、また、ハウジングの内部空間に注油した潤滑油が外部に漏れるのを防止するために、ハウジングの他端の開口部にシール部を設ける場合が多い。このシール部は、特許文献３に示されているように、ハウジングの開口部に別体のシール部材を固定して構成され、あるいは、特許文献２に示されているように、ハウジングの開口部の側に一体形成される。
【特許文献１】特開２０００―２９１６４８号公報
【特許文献２】特開２００２−６１６４１号公報
【特許文献３】特開２００３―３３６６３６号公報
【発明の開示】
【発明が解決しようとする課題】
【０００５】
上記構成の動圧軸受装置は、ハウジング、軸受スリーブ、軸部材、スラスト部材、及びシール部材といった部品で構成され、情報機器の益々の高性能化に伴って必要とされる高い軸受性能を確保すべく、各部品の加工精度や組立精度を高める努力がなされている。
【０００６】
ところで、近時の経済のグローバル化に伴い、例えば、動圧軸受装置の部品を日本国内で生産し、組立は海外で行うような場合がある。このような場合、各部品は長距離輸送を強いられることになり、輸送中に部品に錆が発生することがある。現在、この錆の発生を防止するために、部品に防錆油を塗布しているが、表面に動圧溝をプレス成形する部品（ここでのプレス成形とは、動圧溝の形状に対応した型形状を成形型に形成しておき、その成形型を部品の表面に加圧して、型形状を部品の表面に転写する成形方法である。）、例えば、スラスト軸受部を構成するスラスト部材では、表面に防錆油が塗布されたまま動圧溝のプレス成形を行うと、型形状の転写精度が著しく低下して、動圧溝が所要精度に仕上がらない。そのため、動圧溝のプレス成形を行う前に部品の脱脂を行う必要があり、工数増加の一因となる。また、防錆油の劣化等により、防錆油が部品表面に強固に付着して脱脂処理が困難になる場合もある。
【０００７】
本発明の課題は、この種の動圧軸受装置における部品の発錆を防止すると同時に、防錆処理後の脱脂処理を不要にして工数削減を図ることである。
【課題を解決するための手段】
【０００８】
上記課題を解決するため、本発明は、ハウジングと、ハウジングの内部に固定された軸受スリーブと、ハウジング及び軸受スリーブに対して相対回転する軸部材と、軸受スリーブと軸部材との間のラジアル軸受隙間に生じる潤滑油の動圧作用で軸部材をラジアル方向に非接触支持するラジアル軸受部とを備えた動圧軸受装置において、ハウジングは金属材料で形成されていると共に、その表面にフッ素系樹脂からなるコーティング被膜を有する構成を提供する。
【０００９】
真ちゅう等の金属材料からなるハウジングの表面にフッ素系樹脂からなるコーティング被膜を形成することにより、ハウジングの発錆を防止することができる。このコーティング被膜は、部品段階では、ハウジングの全表面に形成されていることが好ましいが、動圧軸受装置として組立てる段階では、他部材が固定される表面、例えば他部材が接着剤等で固定される表面は、所要の固定強度を確保するため、コーティング被膜が剥離されていることが好ましい。このような所定表面のコーティング被膜の剥離処理は、例えば金型を用いることにより容易に行うことができる。従って、動圧軸受装置として完成された状態では、ハンジングは上記の所定表面以外の表面にコーティング被膜を有することになる。尚、接着強度等の固定強度を確保する上で特に支障がない場合は、上記の所定表面を含めて、ハウジングの全表面にコーティング被膜をそのまま残しておくこともできる。
【００１０】
また、本発明は、ハウジングと、ハウジングの内部に固定された軸受スリーブと、ハウジング及び軸受スリーブに対して相対回転する軸部材と、ハウジングの一端部に固定されたスラスト部材と、軸受スリーブと軸部材との間のラジアル軸受隙間に生じる潤滑油の動圧作用で軸部材をラジアル方向に非接触支持するラジアル軸受部と、スラスト部材と軸部材との間のスラスト軸受隙間に生じる潤滑油の動圧作用で軸部材をスラスト方向に非接触支持するスラスト軸受部とを備えた動圧軸受装置において、スラスト部材は金属材料で形成されていると共に、その表面にフッ素系樹脂からなるコーティング被膜を有する構成を提供する。
【００１１】
真ちゅう等の金属材料からなるスラスト部材の表面にフッ素系樹脂からなるコーティング被膜を形成することにより、スラスト部材の発錆を防止することができる。このコーティング被膜は、部品段階では、スラスト部材の全表面に形成されていることが好ましいが、動圧軸受装置として組立てる段階では、ハウジングに固定される表面、例えばハウジングに接着固定等される表面は、所要の固定強度を確保するため、コーティング被膜が剥離されていることが好ましい。このような所定表面のコーティング被膜の剥離処理は、例えば金型を用いることにより容易に行うことができる。従って、動圧軸受装置として完成された状態では、スラスト部材は上記の所定表面以外の表面にコーティング被膜を有することになる。尚、接着強度等の固定強度を確保する上で特に支障がない場合は、上記の所定表面を含めて、スラスト部材の全表面にコーティング被膜をそのまま残しておくこともできる。
【００１２】
スラスト軸受部を構成するスラスト部材の表面に動圧溝を形成する場合、該表面にコーティング被膜が形成されている状態でプレス成形を行っても、動圧溝を比較的精度良く成形することができる。従って、動圧溝をプレス成形するに際して、従来のような脱脂処理は不要である。また、フッ素系樹脂からなるコーティング被膜があるため、プレス成形後の成形型の離型性も良くなる。特に、コーティング被膜の膜厚を１μｍ以下にすることにより、プレス成形の際、成形型の型形状の転写精度を精度良く維持して、動圧溝を精度良く仕上げることができる。一方、コーティング被膜の膜厚が０．１μｍ未満になると、期待する防錆効果が得られない場合があるので、コーティング被膜の膜厚は０．１μｍ以上にすることが好ましい。
【００１３】
また、本発明は、ハウジングと、ハウジングの内部に固定された軸受スリーブと、ハウジング及び軸受スリーブに対して相対回転する軸部材と、ハウジングの他端部に固定されたシール部材と、軸受スリーブと軸部材との間のラジアル軸受隙間に生じる潤滑油の動圧作用で軸部材をラジアル方向に非接触支持するラジアル軸受部とを備えた動圧軸受装置において、シール部材は金属材料で形成されていると共に、その表面にフッ素系樹脂からなるコーティング被膜を有する構成を提供する。
【００１４】
真ちゅう等の金属材料からなるシール部材の表面にフッ素系樹脂からなるコーティング被膜を形成することにより、シール部材の発錆を防止することができる。このコーティング被膜は、部品段階では、シール部材の全表面に形成されていることが好ましいが、動圧軸受装置として組立てる段階では、ハウジングに固定される表面、例えばハウジングに接着固定等される表面は、所要の固定強度を確保するため、コーティング被膜が剥離されていることが好ましい。このような所定表面のコーティング被膜の剥離処理は、例えば金型を用いることにより容易に行うことができる。従って、動圧軸受装置として完成された状態では、シール部材は上記の所定表面以外の表面にコーティング被膜を有することになる。尚、接着強度等の固定強度を確保する上で特に支障がない場合は、上記の所定表面を含めて、シール部材の全表面にコーティング被膜をそのまま残しておくこともできる。
【発明の効果】
【００１５】
本発明によれば、この種の動圧軸受装置における部品の発錆を防止すると同時に、防錆処理後の脱脂処理を不要にして工数削減を図ることができる。
【発明を実施するための最良の形態】
【００１６】
以下、本発明の実施形態について説明する。
【００１７】
図１は、この実施形態に係る動圧軸受装置１を組み込んだ情報機器用スピンドルモータの一構成例を概念的に示している。このスピンドルモータは、ＨＤＤ等のディスク駆動装置に用いられるもので、軸部材２を回転自在に非接触支持する動圧軸受装置１と、軸部材２に装着されたロータ（ディスクハブ）３と、例えば半径方向のギャップを介して対向させたステータ４およびロータマグネット５とを備えている。ステータ４はブラケット６の外周に取付けられ、ロータマグネット５はディスクハブ３の内周に取付けられる。動圧軸受装置１のハウジング７は、ブラケット（保持部材）６の内周に装着される。ディスクハブ３には、磁気ディスク等のディスクＤが一又は複数枚保持される。ステータ４に通電すると、ステータ４とロータマグネット５との間の電磁力でロータマグネット５が回転し、それによって、ディスクハブ３および軸部材２が一体となって回転する。
【００１８】
図２は、動圧軸受装置１を示している。この動圧軸受装置１は、ハウジング７と、ハウジング７に固定された軸受スリーブ８およびスラスト部材１０と、軸部材２とを構成部品して構成される。
【００１９】
軸受スリーブ８の内周面８ａと軸部材２の軸部２ａの外周面２ａ１との間に第１ラジアル軸受部Ｒ１と第２ラジアル軸受部Ｒ２とが軸方向に離隔して設けられる。また、軸受スリーブ８の下側端面８ｃと軸部材２のフランジ部２ｂの上側端面２ｂ１との間に第１スラスト軸受部Ｔ１が設けられ、スラスト部材１０の端面１０ａとフランジ部２ｂの下側端面２ｂ２との間に第２スラスト軸受部Ｔ２が設けられる。尚、説明の便宜上、スラスト部材１０の側を下側、スラスト部材１０と反対の側を上側として説明を進める。
【００２０】
ハウジング７は、例えば、真ちゅう（黄銅）等の軟質金属材料で形成され、円筒状の側部７ｂと、側部７ｂの上端から内径側に一体に延びた環状のシール部７ａとを備えている。側部７ｂの下端部内周にはスラスト部材１０を固定するための固定面７ｄが形成され、また、側部７ｂの外周には、ブラケット（保持部材）６の内周に接着剤により（又は圧入により、あるいは、接着剤と圧入の併用により）固定される固定面７ｅが形成されている。固定面７ｅの軸方向長さは、ブラケット６に対する固定強度を考慮して、所定寸法に設定されている。シール部７ａの内周面７ａ１は、軸部２ａの外周に設けられたテーパ面２ａ２と所定のシール空間Ｓを介して対向する。尚、軸部２ａのテーパ面２ａ２は上側（ハウジング７に対して外部側）に向かって漸次縮径し、軸部材２の回転により遠心力シールとしても機能する。
【００２１】
また、ハウジング７の、内周面７ｃ、固定面７ｄ、及び固定面７ｅを除く表面（図面において太線で示されている部分）には、フッ素系樹脂からなるコーティング被膜ｆ１が形成されている。コーティング被膜ｆ１の膜厚は、０．１〜１μｍである。コーティング被膜ｆ１は、ハウジング７の防錆を目的として形成されたものであり、部品の段階では、ハウジング７の全表面に形成される。
【００２２】
軸部材２は、例えば、ステンレス鋼等の金属材料で形成され、あるいは、金属と樹脂とのハイブリッド構造とされ、軸部２ａと、軸部２ａの下端に一体又は別体に設けられたフランジ部２ｂとを備えている。
【００２３】
軸受スリーブ８は、例えば、焼結金属からなる多孔質体、特に銅を主成分とする燒結金属の多孔質体で円筒状に形成され、ハウジング７の内周面７ｃの所定位置に固定される。
【００２４】
この焼結金属で形成された軸受スリーブ８の内周面８ａには、第１ラジアル軸受部Ｒ１と第２ラジアル軸受部Ｒ２のラジアル軸受面となる上下２つの領域が軸方向に離隔して設けられ、該２つの領域には、例えば図３（ａ）に示すようなヘリングボーン形状の動圧溝８ａ１、８ａ２がそれぞれ形成される。上側の動圧溝８ａ１は、軸方向中心ｍ（上下の傾斜溝間領域の軸方向中央）に対して軸方向非対称に形成されており、軸方向中心ｍより上側領域の軸方向寸法Ｘ１が下側領域の軸方向寸法Ｘ２よりも大きくなっている。また、軸受スリーブ８の外周面８ｄには、１又は複数本の軸方向溝８ｄ１が軸方向全長に亙って形成される。この例では、３本の軸方向溝８ｄ１を円周方向等間隔に形成している。
【００２５】
第１スラスト軸受部Ｔ１のスラスト軸受面となる、軸受スリーブ８の下側端面８ｃには、例えば図３（ｂ）に示すようなスパイラル形状の動圧溝８ｃ１が形成される。
【００２６】
図３（ｃ）に示すように、軸受スリーブ８の上側端面８ｂは、半径方向の略中央部に設けられた円周溝８ｂ１により、内径側領域８ｂ２と外径側領域８ｂ３に区画され、内径側領域８ｂ２には、１又は複数本の半径方向溝８ｂ２１が形成される。この例では、３本の半径方向溝８ｂ２１が円周等間隔に形成されている。
【００２７】
スラスト部材１０は、例えば、真ちゅう（黄銅）等の軟質金属材料で形成され、ハウジング７の下端部の固定面７ｄに固定される。図４に示すように、第２スラスト軸受部Ｔ２のスラスト軸受面となる、スラスト部材１０の端面１０ａには、例えばヘリングボーン形状の動圧溝１０ａ１が形成される。尚、動圧溝の形状として、スパイラル形状や放射溝形状等を採用しても良い。
【００２８】
また、スラスト部材１０の、外周面１０ｂを除く表面には、フッ素系樹脂からなるコーティング被膜ｆ２が形成されている。コーティング被膜ｆ２の膜厚は、０．１〜１μｍである。コーティング被膜ｆ２は、スラスト部材１０の防錆を目的として形成されたものであり、部品の段階では、スラスト部材１０の全表面に形成される。スラスト部材１０の端面１０ａの動圧溝１０ａ１は、端面１０ａにコーティング被膜ｆ２が形成されている状態で前述したプレス成形により形成される。端面１０ａにコーティング被膜ｆ２が形成されている状態でプレス成形を行っても、動圧溝１０ａ１を精度良く成形することができる。また、動圧溝１０ａ１をプレス成形するに際して、従来のような脱脂処理は不要である。さらに、コーティング被膜ｆ２があるため、プレス成形後の成形型の離型性も良くなる。
【００２９】
この実施形態の動圧軸受装置１は、例えば、次のような工程で組立てる。
【００３０】
まず、組立に際して、ハウジング７の内周面７ｃ、固定面７ｄ、及び固定面７ｅのコーティング被膜ｆ１を剥離する。コーティング被膜ｆ１の剥離は、例えば金型を用いることにより容易に行うことができる。尚、固定面７ｅのコーティング被膜ｆ１は、組立が完了した後、例えば動圧軸受装置１をブラケット６に固定する前に剥離するようにしても良い。さらに、スラスト部材１０の外周面１０ｂのコーティング被膜ｆ２を剥離する。コーティング被膜ｆ２の剥離も、例えば金型を用いることにより容易に行うことができる。
【００３１】
つぎに、軸受スリーブ８をハウジング７の内周面７ｃに挿入し、その上側端面８ｂをシール部７ａの内側面７ａ２に当接させる。これにより、ハウジング７に対する軸受スリーブ８の軸方向位置が決まる。軸受スリーブ８のハウジング７に対する固定は、次の複数の手段、すなわち、軸受スリーブ８の外周面８ｄをハウジング７の内周面７ｃに接着剤で固定する手段、軸受スリーブ８の外周面８ｄをハウジング７の内周面７ｃに圧入して固定する手段、上記の接着剤と圧入とを併用して固定する手段の中から、任意の手段を選択して行うことができる。
【００３２】
つぎに、軸部材２を軸受スリーブ８に装着し、その後、スラスト部材１０をハウジング７の下端部の固定面７ｄに装着する。スラスト部材１０のハウジング７に対する固定は、次の複数の手段、すなわち、スラスト部材１０の外周面１０ｂをハウジング７の固定面７ｄに接着剤で固定する手段、スラスト部材１０の外周面１０ｂをハウジング７の固定面７ｄに圧入して固定する手段、上記の接着剤と圧入とを併用して固定する手段の中から、任意の手段を選択して行うことができる。
【００３３】
上記のようにして組立が完了すると、軸部材２の軸部２ａは軸受スリーブ８の内周面８ａに挿入され、フランジ部２ｂは軸受スリーブ８の下側端面８ｃとスラスト部材１０の端面１０ａとの間の空間部に収容された状態となる。その後、シール部７ａで密封されたハウジング７の内部空間は、軸受スリーブ８の内部気孔を含め、潤滑油で充満される。潤滑油の油面は、シール空間Ｓの範囲内に維持される。
【００３４】
軸部材２の回転時、軸受スリーブ８の内周面８ａのラジアル軸受面となる領域（上下２箇所の領域）は、それぞれ、軸部２ａの外周面２ａ１とラジアル軸受隙間を介して対向する。また、軸受スリーブ８の下側端面８ｃのスラスト軸受面となる領域はフランジ部２ｂの上側端面２ｂ１とスラスト軸受隙間を介して対向し、スラスト部材１０の端面１０ａのスラスト軸受面となる領域はフランジ部２ｂの下側端面２ｂ２とスラスト軸受隙間を介して対向する。そして、軸部材２の回転に伴い、上記ラジアル軸受隙間に潤滑油の動圧が発生し、軸部材２の軸部２ａが上記ラジアル軸受隙間内に形成される潤滑油の油膜によってラジアル方向に回転自在に非接触支持される。これにより、軸部材２をラジアル方向に回転自在に非接触支持する第１ラジアル軸受部Ｒ１と第２ラジアル軸受部Ｒ２とが構成される。同時に、上記スラスト軸受隙間に潤滑油の動圧が発生し、軸部材２のフランジ部２ｂが上記スラスト軸受隙間内に形成される潤滑油の油膜によって両スラスト方向に回転自在に非接触支持される。これにより、軸部材２をスラスト方向に回転自在に非接触支持する第１スラスト軸受部Ｔ２と第２スラスト軸受部Ｔ２とが構成される。
【００３５】
前述したように、第１ラジアル軸受部Ｒ１の動圧溝８ａ１は、軸方向中心ｍに対して軸方向非対称に形成されており、軸方向中心ｍより上側領域の軸方向寸法Ｘ１が下側領域の軸方向寸法Ｘ２よりも大きくなっている｛図３（ａ）｝。そのため、軸部材２の回転時、動圧溝８ａ１による潤滑油の引き込み力（ポンピング力）は上側領域が下側領域に比べて相対的に大きくなる。そして、この引き込み力の差圧によって、軸受スリーブ８の内周面８ａと軸部２ａの外周面２ａ１との間の隙間に満たされた潤滑油が下方に流動し、第１スラスト軸受部Ｔ１のスラスト軸受隙間→軸方向溝８ｄ１→シール部７ａの内側面７ａ２の外径側領域と軸受スリーブ８の上側端面８ｂの外径側領域８ｂ３との間の環状隙間→軸受スリーブ８の上側端面８ｂの円周溝８ｂ１→軸受スリーブ８の上側端面８ｂの半径方向溝８ｂ２１という経路を循環して、第１ラジアル軸受部Ｒ１のラジアル軸受隙間に再び引き込まれる。このように、潤滑油がハウジング７の内部空間を流動循環するように構成することで、内部空間内の潤滑油の圧力が局部的に負圧になる現象を防止して、負圧発生に伴う気泡の生成、気泡の生成に起因する潤滑油の漏れや振動の発生等の問題を解消することができる。また、何らかの理由で潤滑油中に気泡が混入した場合でも、気泡が潤滑油に伴って循環する際にシール空間Ｓ内の潤滑油の油面（気液界面）から外気に排出されるので、気泡による悪影響はより一層効果的に防止される。
【００３６】
図５は、他の実施形態に係る動圧軸受装置１’を示している。この動圧軸受装置１’が図２に示す動圧軸受装置１と実質的に異なる点は、シール部を別体のシール部材１２で構成した点である。シール部材１２の内周面１２ａは、軸部２ａの外周に設けられたテーパ面２ａ２と所定のシール空間Ｓを介して対向する。また、シール部材１２の内側面１２ｂは、軸受スリーブ８の上側端面８ｂの内径側領域と部分的に接触する。
【００３７】
シール部材１２は、例えば、真ちゅう（黄銅）等の軟質金属材料で形成され、ハウジング７の内周面７ｃの上端部に固定される。シール部材１２のハウジング７に対する固定は、次の複数の手段、すなわち、シール部材１２の外周面１２ｃをハウジング７の内周面７ｃに接着剤で固定する手段、シール部材１２の外周面１２ｃをハウジング７の内周面７ｃに圧入して固定する手段、上記の接着剤と圧入とを併用して固定する手段の中から、任意の手段を選択して行うことができる。
【００３８】
また、シール部材１２の、外周面１２ｃを除く表面には、フッ素系樹脂からなるコーティング被膜ｆ３が形成されている。コーティング被膜ｆ３の膜厚は、０．１〜１μｍである。コーティング被膜ｆ３は、シール部材１２の防錆を目的として形成されたものであり、部品の段階では、シール部材１２の全表面に形成されるが、組立に際して、外周面１２ｃのコーティング被膜ｆ３は剥離される。その他の事項は、前述した実施形態に準じるので、重複する説明を省略する。
【００３９】
尚、以上の実施形態では、接着剤等で固定する際の固定強度を考慮して、ハウジング７の内周面７ｃ、固定面７ｄ、及び固定面７ｅ、スラスト部材１０の外周面１０ｂ、シール部材１２の外周面１２ｃはコーティング被膜を剥離しているが、接着強度等の固定強度を確保する上で特に支障がない場合は、ハウジング７、スラスト部材１０、及びシール部材１２のうち少なくとも一つの部品は、全表面にコーティング被膜をそのまま残しておくこともできる。また、本発明は、以上の実施形態に限定されず、例えば、スラスト部材をハウジングと一体形成（ハウジングを有底筒状に一体形成）した形態の動圧軸受装置にも同様に適用することができる。また、本発明は、スラスト軸受部として、軸部材の一端面をスラストプレートによって接触支持する構造（いわゆるピボット軸受）を採用した動圧軸受装置にも同様に適用することができる。
【図面の簡単な説明】
【００４０】
【図１】本発明の実施形態に係る動圧軸受装置を組み込んだ情報機器用スピンドルモータの断面図である。
【図２】本発明の実施形態に係る動圧軸受装置を示す断面図である。
【図３】軸受スリーブの断面図｛図３（ａ）｝、下側端面｛図３（ｂ）｝、上側端面｛図３（ｃ）｝を示す図である。
【図４】スラスト部材を示す平面図である。
【図５】本発明の他の実施形態に係る動圧軸受装置を示す断面図である。
【符号の説明】
【００４１】
１、１’  動圧軸受装置
２    軸部材
７    ハウジング
８    軸受スリーブ
Ｒ１、Ｒ２  ラジアル軸受部
Ｔ１、Ｔ２  スラスト軸受部
１０  スラスト部材
１２  シール部材
ｆ１、ｆ２、ｆ３  コーティング被膜
【図１】
2005273815.tif 000003
【図２】
2005273815.tif 000004
【図３】
2005273815.tif 000005
【図４】
2005273815.tif 000006
【図５】
2005273815.tif 000007